(57)【要約】セルラ通信システムにおける分散型基地局装置の中央ユニットにより、ソース分散ユニットからターゲット分散ユニットへのＵＥコンテキストの変更の一部として行われる方法が提示される。分散型基地局装置のターゲット分散ユニットから第１のメッセージが送信される。分散型基地局装置のターゲット分散型ユニットから第２のメッセージが受信される。前記第２のメッセージには、ターゲット分散ユニットのフル又はデルタ構成情報が含まれる。更なる基地局装置に、前記ターゲット分散ユニットについての前記受信した構成情報とフルタイプ又はデルタタイプ構成のどちらが用いられたかについての指示とを含む第３のメッセージが送信される。【選択図】図１
2021528018.tif 000002
【特許請求の範囲】
【請求項１】
セルラ通信システムにおける分散型基地局装置の中央ユニットにより、前記分散型基地局装置のソース分散ユニットから前記分散型基地局装置のターゲット分散ユニットへのＵＥ（Ｕｓｅｒ  Ｅｑｕｉｐｍｅｎｔ：ユーザ装置）コンテキストの変更の一部として行われる方法であって、
前記分散型基地局装置のターゲット分散ユニットに第１のメッセージを送信することと、
前記分散型基地局装置のターゲット分散ユニットから、前記ターゲット分散ユニットについての構成情報を含む少なくとも１つのＩＥ（Ｉｎｆｏｒｍａｔｉｏｎ  Ｅｌｅｍｅｎｔ：情報要素）であって、前記ターゲット分散ユニットで適用される現在の構成についてのフル構成情報と、前記ターゲット分散ユニットで適用される現在の構成についてのデルタ構成情報であって、前記ターゲット分散ユニットで適用される現在の構成と別の構成との間の変更を表す前記デルタ構成情報とのうちの少なくとも１つを含む前記少なくとも１つのＩＥを含む第２のメッセージを受信することと、
更なる基地局装置に、前記ターゲット分散ユニットについての前記受信した構成情報とフルタイプ又はデルタタイプ構成のどちらが用いられたかについての指示とを含む第３のメッセージを送信することと、を含む方法。
【請求項２】
前記第３のメッセージは、ＲＲＣ（Ｒａｄｉｏ  Ｒｅｓｏｕｒｃｅ  Ｃｏｎｔｒｏｌ：無線リソース制御）指示ＩＥ内に前記指示を含む、請求項１記載の方法。
【請求項３】
前記ＵＥコンテキストを前記ターゲット分散ユニットに変更することを決定することを更に含み、前記第１のメッセージの送信は前記決定に従って行われる、請求項１又は２記載の方法。
【請求項４】
前記分散型基地局装置はセカンダリ基地局装置を備え、前記更なる基地局装置はマスタ基地局装置を備え、前記第３のメッセージはセカンダリ基地局装置について変更が必要であることを示すメッセージを含む、請求項３記載の方法。
【請求項５】
前記第３のメッセージは、（例えば、Ｘ２インターフェースを介して送信される）ＳｇＮＢ変更必要（ＳｇＮＢ  ｍｏｄｉｆｉｃａｔｉｏｎ  ｒｅｑｕｉｒｅｄ）メッセージである、請求項４記載の方法。
【請求項６】
前記第３のメッセージは、（例えば、Ｘｎインターフェースを介して送信される）Ｓ−Ｎｏｄｅ変更必要（Ｓ−Ｎｏｄｅ  ｍｏｄｉｆｉｃａｔｉｏｎ  ｒｅｑｕｉｒｅｄ）メッセージである、請求項４記載の方法。
【請求項７】
前記更なる基地局装置からの前記分散型基地局装置でＵＥコンテキストを変更するための要求メッセージを受信することを含み、前記第１のメッセージの送信は、前記更なる基地局装置から前記要求を受信した後に行われる、請求項１又は２記載の方法。
【請求項８】
前記分散型基地局装置はセカンダリ基地局装置を備え、前記更なる基地局装置はマスタ基地局装置を備え、前記更なる基地局からの前記要求メッセージは、セカンダリ基地局について変更を要求することを示すメッセージを含み、前記第３のメッセージは、前記要求メッセージを確認するための対応のメッセージを含む、請求項７記載の方法。
【請求項９】
前記第３のメッセージは、（例えば、Ｘ２インターフェースを介して送信される）ＳｇＮＢ変更要求確認（ＳｇＮＢ  ｍｏｄｉｆｉｃａｔｉｏｎ  ｒｅｑｕｅｓｔ  ａｃｋｎｏｗｌｅｄｇｅ）メッセージである、請求項８記載の方法。
【請求項１０】
前記更なる基地局からの前記要求メッセージは、（例えば、Ｘ２インターフェースを介して送信される）ＳｇＮＢ変更要求（ＳｇＮＢ  ｍｏｄｉｆｉｃａｔｉｏｎ  ｒｅｑｕｅｓｔ）メッセージである、請求項９記載の方法。
【請求項１１】
前記第３のメッセージは、（例えば、Ｘｎインターフェースを介して送信される）Ｓ−Ｎｏｄｅ変更要求確認（Ｓ−Ｎｏｄｅ  ｍｏｄｉｆｉｃａｔｉｏｎ  ｒｅｑｕｅｓｔ  ａｃｋｎｏｗｌｅｄｇｅ）メッセージである、請求項８記載の方法。
【請求項１２】
前記更なる基地局からの前記要求メッセージは、（例えば、Ｘｎインターフェースを介して送信される）Ｓ−Ｎｏｄｅ変更要求（Ｓ−Ｎｏｄｅ  ｍｏｄｉｆｉｃａｔｉｏｎ  ｒｅｑｕｅｓｔ）メッセージである、請求項１１記載の方法。
【請求項１３】
前記分散型基地局装置は、第５世代５Ｇ標準に従って動作する５Ｇ基地局ｇＮＢを含む、請求項１乃至１２のうちの何れか１項記載の方法。
【請求項１４】
前記分散型基地局装置は、ＳＮ（Ｓｅｃｏｎｄａｒｙ  Ｎｏｄｅ：セカンダリノード）装置として動作する、請求項１乃至１３のうち何れか１項記載の方法。
【請求項１５】
前記更なる基地局装置は、第４世代４Ｇ標準に従って動作する４Ｇ基地局ｅＮＢを含む、請求項１乃至１４のうちの何れか１項記載の方法
【請求項１６】
前記更なる基地局装置は、ＭＮ（Ｍａｓｔｅｒ  Ｎｏｄｅ：マスタノード）装置として動作する、請求項１乃至１５のうち何れか１項記載の方法。
【請求項１７】
セルラ通信システムにおける基地局装置により、ＵＥ（Ｕｓｅｒ  Ｅｑｕｉｐｍｅｎｔ：ユーザ装置）コンテキストを分散型基地局装置のソース分散ユニットから前記分散型基地局装置のターゲット分散ユニットへ変更する手順の一部として行われる方法であって、
前記ターゲット分散ユニットから、前記ターゲット分散ユニットについての構成情報とフルタイプ又はデルタタイプの構成のどちらが用いられたかについての指示とを含むメッセージを受信することと、
前記受信した構成情報と前記指示とを用いて前記ＵＥで再構成手順を行うことと、を含む方法。
【請求項１８】
プログラマブル装置に、請求項１乃至１７のうち何れか１項に記載の方法を実行させる、コンピュータで実行可能なプログラム。
【請求項１９】
セルラ通信システムにおける分散型基地局装置の中央ユニットであって、
前記分散型基地局装置のソース分散ユニットから前記分散型基地局装置のターゲット分散ユニットへのＵＥ（Ｕｓｅｒ  Ｅｑｕｉｐｍｅｎｔ：ユーザ装置）コンテキストの変更の一部として、前記分散型基地局装置のターゲット分散ユニットに、第１のメッセージを送信する手段と、
前記分散型基地局装置のターゲット分散ユニットから、前記ターゲット分散ユニットについての構成情報を含む少なくとも１つのＩＥ（Ｉｎｆｏｒｍａｔｉｏｎ  Ｅｌｅｍｅｎｔ：情報要素）であって、前記ターゲット分散ユニットで適用される現在の構成についてのフル構成情報と、前記ターゲット分散ユニットで適用される現在の構成についてのデルタ構成情報であって、前記ターゲット分散ユニットで適用される現在の構成と別の構成との間の変更を表す前記デルタ構成情報とのうちの少なくとも１つを含む前記少なくとも１つのＩＥを含む第２のメッセージを受信する手段と、
更なる基地局装置に、前記ターゲット分散ユニットについての前記受信した構成情報とフルタイプ又はデルタタイプの構成のどちらが用いられたかについての指示とを含む第３のメッセージを送信する手段と、を備える中央ユニット。
【請求項２０】
セルラ通信システムのための基地局装置であって、
ＵＥ（Ｕｓｅｒ  Ｅｑｕｉｐｍｅｎｔ：ユーザ装置）コンテキストを分散型基地局装置のソース分散ユニットから前記分散型基地局装置のターゲット分散ユニットへ変更する手順中に、前記ターゲット分散ユニットから、前記ターゲット分散ユニットについての構成情報とフルタイプ又はデルタタイプの構成のどちらが用いられたかについての指示とを含むメッセージを受信する手段と、
前記受信した構成情報を用いて前記ＵＥで再構成手順を行う手段と、を備える基地局装置。
【請求項２１】
請求項１９記載の分散型基地局装置の中央ユニットと、請求項２０記載の更なる基地局装置とを備える通信システム。
【請求項２２】
ｇＮＢと通信するｅＮＢのための方法であって、
前記ｇＮＢから、前記ｇＮＢでのＵＥ（Ｕｓｅｒ  Ｅｑｕｉｐｍｅｎｔ：ユーザ装置）コンテキストを変更するメッセージを用いてフル構成又はデルタ構成を示すＲＲＣ（Ｒａｄｉｏ  Ｒｅｓｏｕｒｃｅ  Ｃｏｎｔｒｏｌ：無線リソース制御）構成指示ＩＥ（Ｉｎｆｏｒｍａｔｉｏｎ  Ｅｌｅｍｅｎｔ：情報要素）を受信することと、
前記ＲＲＣ構成指示ＩＥを受信した後に、ＵＥとのＲＲＣ再構成手順を行うことと、を含む方法。
【請求項２３】
前記メッセージは、ＳｇＮＢ変更必要（ＳｇＮＢ  ｍｏｄｉｆｉｃａｔｉｏｎ  ｒｅｑｕｉｒｅｄ）メッセージ又はＳｇＮＢ変更要求確認（ＳｇＮＢ  ｍｏｄｉｆｉｃａｔｉｏｎ  ｒｅｑｕｅｓｔ  ａｃｋｎｏｗｌｅｄｇｅ）メッセージである、請求項２２記載の方法。
【請求項２４】
前記ｅＮＢは、前記ＵＥがｇＮＢ−ＤＵからｇＮＢ−ＣＵ内の他のｇＮＢ−ＤＵに移動するときに、フル構成又はデルタ構成を示す前記ＲＲＣ構成指示ＩＥを受信する、請求項２２又は２３記載の方法。
【請求項２５】
前記ＲＲＣ再構成手順において、前記ｅＮＢは前記ＲＲＣ構成指示ＩＥの後にＲＲＣ接続再構成（ＲＲＣ  ｃｏｎｎｅｃｔｉｏｎ  ｒｅｃｏｎｆｉｇｕｒａｔｉｏｎ）メッセージを前記ＵＥに送信する、請求項２２乃至２４のうち何れか１項記載の方法。
【請求項２６】
ｇＮＢと通信するｅＮＢであって、
ｇＮＢから、前記ｇＮＢでのＵＥ（Ｕｓｅｒ  Ｅｑｕｉｐｍｅｎｔ：ユーザ装置）コンテキストを変更するメッセージを用いてフル構成又はデルタ構成を示すＲＲＣ（Ｒａｄｉｏ  Ｒｅｓｏｕｒｃｅ  Ｃｏｎｔｒｏｌ：無線リソース制御）構成指示ＩＥ（Ｉｎｆｏｒｍａｔｉｏｎ  Ｅｌｅｍｅｎｔ：情報要素）を受信するトランシーバと、
前記ＲＲＣ構成指示ＩＥを受信した後に、ＵＥとのＲＲＣ再構成手順を行うプロセッサと、を備えるｅＮＢ。
【発明の詳細な説明】
【技術分野】
【０００１】
本発明は、移動通信デバイス及びネットワークに関する。特に、本発明は、３ＧＰＰ（３ｒｄ  Ｇｅｎｅｒａｔｉｏｎ  Ｐａｒｔｎｅｒｓｈｉｐ  Ｐｒｏｊｅｃｔ）規格、又はこれと同等若しくは派生の規格に従って動作する移動通信デバイス及びネットワークに関するが、これに限定されない。特に、本発明は、いわゆる「第４世代」若しくは「４Ｇ」（又は「ＬＴＥ」）システム、「第５世代」若しくは「５Ｇ」（又は「次世代」／「ＮＲ（Ｎｅｗ  Ｒａｄｉｏ）」システム、又はこれらのシステムの派生物若しくはハイブリッド構成におけるＤＣ（Ｄｕａｌ  Ｃｏｎｎｅｃｔｉｖｉｔｙ）構成に関するが、これに限定されない。特に、本発明は、ＥＮ−ＤＣ（Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ：進化型ＵＭＴＳ地上無線アクセス）  ＮＲ−ＤＣ）や他の同様の構成を含むＭＲ−ＤＣ（Ｍｕｌｔｉ−ＲＡＴ（Ｍｕｌｔｉ−Ｒａｄｉｏ  Ａｃｃｅｓｓ  Ｔｅｃｈｎｏｌｏｇｙ：マルチ無線アクセス技術）ＤＣ）構成に関するが、これに限定されない。
【背景技術】
【０００２】
３ＧＰＰ規格の最新動向は、「ＥＰＣ（Ｅｖｏｌｖｅｄ  Ｐａｃｋｅｔ  Ｃｏｒｅ）ネットワーク及びＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ：進化型ＵＭＴＳ地上無線アクセスネットワーク）のＬＴＥ（Ｌｏｎｇ  Ｔｅｒｍ  Ｅｖｏｌｕｔｉｏｎ）」と呼ばれ、一般に「４Ｇ」とも呼ばれる。更に、「５Ｇ」及び「ＮＲ」といった語は、ＭＴＣ（Ｍａｃｈｉｎｅ  Ｔｙｐｅ  Ｃｏｍｍｕｎｉｃａｔｉｏｎｓ：マシン型通信）、ＩｏＴ（Ｉｎｔｅｒｎｅｔ  ｏｆ  Ｔｈｉｎｇｓ：モノのインターネット）通信、車両通信、自律走行車、高解像度ビデオストリーミング、スマートシティサービスなどのさまざまなアプリケーション及びサービスをサポートすることが期待される進化型の通信技術を指す。したがって、５Ｇ技術は、バーティカル市場へのネットワークアクセスを可能にし、サードパーティにネットワークサービスを提供し、新しいビジネスチャンスを創出するためのネットワーク（ＲＡＮ）共有をサポートすることが期待されている。３ＧＰＰは、いわゆる３ＧＰＰ  ＮｅｘｔＧｅｎ（Ｎｅｘｔ  Ｇｅｎｅｒａｔｉｏｎ）  ＲＡＮ及び３ＧＰＰ  ＮＧＣ（ＮｅｘｔＧｅｎ  Ｃｏｒｅ：次世代コア）ネットワーク（「５Ｇコア（５ＧＣ）」とも呼ばれる）によって５Ｇをサポートすることを意図している。５Ｇネットワークの種々の詳細は、例えば、ＮＧＭＮ（Ｎｅｘｔ  Ｇｅｎｅｒａｔｉｏｎ  Ｍｏｂｉｌｅ  Ｎｅｔｗｏｒｋｓ）アライアンスによるＮＧＭＮ  ５Ｇ  Ｗｈｉｔｅ  Ｐａｐｅｒ  Ｖ１．０に説明されており、当該文書は、ｈｔｔｐｓ：／／ｗｗｗ．ｎｇｍｎ．ｏｒｇ／５ｇ−ｗｈｉｔｅ−ｐａｐｅｒ．ｈｔｍｌから入手可能である。
【０００３】
より広範の通信ネットワークにアクセスするために、ユーザ通信デバイス（ユーザ装置又は「ＵＥ」）は、１つ以上の基地局を含むＲＡＮ（Ｒａｄｉｏ  Ａｃｃｅｓｓ  Ｎｅｔｗｏｒｋ：無線アクセスネットワーク）機器を介してネットワーク（４Ｇ及び／又は５Ｇ）に接続する。４Ｇネットワークに関連付けられた基地局は、通常、「ｅＮＢ（ｅｖｏｌｖｅｄ  ＮｏｄｅＢ：進化型ＮｏｄｅＢ）」と呼ばれる。一方で、５Ｇネットワークに関連付けられた基地局は、「ＮＲ−ＢＳ（Ｂａｓｅ  Ｓｔａｔｉｏｎ：基地局）」又は「ｇＮＢ」と呼ぶことができる。ただし、そのようなＲＡＮ装置／基地局は、別の語で呼ぶこともできるものとする。例えば、５Ｇ基地局は「ｅＮＢ（又は５Ｇ／ＮＲ  ｅＮＢ）」と呼ばれることもあり、これは、ＬＴＥ基地局についてより一般的である。ｇＮＢ（本明細書では「分散型」ｇＮＢと呼ぶ）の機能は、１つ以上の分散ユニット（「ＤＵ」又は「ｇＮＢ−ＤＵ」）と中央ユニット（「ＣＵ」又は「ｇＮＢ−ＣＵ」）とで分割可能である。ＣＵは、通常、高レベルの機能を実行すると共に、次世代コアとの通信を行う。一方で、ＤＵは、低レベルの機能を実行すると共に、エアインターフェースを介して近隣（例えば、当該ｇＮＢの運用するセル内）のＵＥ（Ｕｓｅｒ  Ｅｑｕｉｐｍｅｎｔ：ユーザ装置）との通信を行う。
【０００４】
最近、Ｅ−ＵＴＲＡ及びＮＲ無線アクセス技術を用いた「マルチコネクティビティ」運用に関する議論、すなわち、第４世代及び第５世代の基地局がそれぞれのコアネットワークにユーザ装置用のセルラアクセスを提供する際にどのように相互作用するかについての議論が進められている。このような「マルチコネクティビティ」シナリオには、ＭＲ−ＤＣ（Ｍｕｌｔｉ−ＲＡＴ  Ｄｕａｌ  Ｃｏｎｎｅｃｔｉｖｉｔｙ）シナリオも含まれ得る。これらのシナリオでは、例えば、少なくとも１つの４Ｇ基地局及び少なくとも１つの５Ｇ基地局がＵＥにサーブするように構成される。このようなシナリオにおける基地局の１つは、制御プレーンシグナリング（場合によってはユーザプレーンシグナリングも）を提供し、「マスタ」基地局とも呼ばれる。他の各基地局はユーザプレーンシグナリングを提供し、「セカンダリ」基地局とも呼ばれるが、「ＭＮ（Ｍａｓｔｅｒ  Ｎｏｄｅ：マスタノード）」や「ＳＮ（Ｓｅｃｏｎｄａｒｙ  Ｎｏｄｅ：セカンダリノード」）などの他の語を用いてもよい。以下を含むいくつかのＭＲ−ＤＣシナリオが可能である：
ＥＮ−ＤＣ（Ｅ−ＵＴＲＡ−ＮＲ  ＤＣ）：この場合、「マスタ」基地局（ＭＮ）は４Ｇ基地局（マスタｅＮＢ又は「ＭｅＮＢ」）であり、セカンダリ基地局（ＳＮ）は５Ｇ基地局（セカンダリｇＮＢ又は「ＳｇＮＢ」）である。このような状況下で、ｇＮＢは、ＵＥに対するＮＲユーザプレーン及び制御プレーンプロトコルの終端となり、ＥＮ−ＤＣにおけるセカンダリノードとして機能するため、「ｅｎ−ｇＮＢ」と呼ばれることもある。基地局同士は、Ｘ２インターフェースなどの基地局間インターフェースを介して接続される。ＵＥの制御プレーントラフィックは、Ｓ１−Ｃ又はＳ１−ＭＭＥ（Ｍｏｂｉｌｉｔｙ  Ｍａｎａｇｅｍｅｎｔ  Ｅｎｔｉｔｙ：モビリティ管理エンティティ）インターフェースなどの基地局−コアネットワーク間制御プレーンインターフェースを介して、マスタ基地局のコアネットワークで終了する（本シナリオでは、ＭｅＮＢに関連付けられたＭＭＥなどのＥＰＣ通信エンティティで終了する）。ＵＥのユーザプレーントラフィックは、Ｓ１−Ｕインターフェースなどの、１つ以上の基地局−コアネットワーク間ユーザプレーンインターフェースを介して、ＭｅＮＢのコアネットワーク（例えば、「Ｓ−ＧＷ（Ｓｅｒｖｉｎｇ  ＧａｔｅＷａｙ：サービングゲートウェイ）」）においても終了する。構成によっては、ＭｅＮＢとＳｇＮＢの両方がそれぞれコアネットワークとのＳ１−Ｕインターフェースを備える場合もあるし、ＭｅＮＢのみがＳ１−Ｕインターフェースを備える場合もある。
ＮＧＥＮ−ＤＣ（ＮＧ−ＲＡＮ  Ｅ−ＵＴＲＡ−ＮＲ−ＤＣ）：この場合、「マスタ」基地局（ＭＮ）は４Ｇ基地局（マスタｅＮＢ又は「ＭｅＮＢ」）であり、セカンダリ基地局（ＳＮ）は５Ｇ基地局（セカンダリｇＮＢ又は「ＳｇＮＢ」）である。ただし、このシナリオでは、ＭｅＮＢは、５Ｇユーザプレーンインターフェース（例えば、「ＮＧ−Ｕ」）及び５Ｇ制御プレーンインターフェース（例えば、「ＮＧ−Ｃ」）を介して５ＧＣに接続される。基地局同士は、Ｘｎインターフェースなどの基地局間インターフェースを介して接続される。ＵＥの制御プレーントラフィックは、ＭｅＮＢとの適切なインターフェース（例えば、ＮＧ−Ｃインターフェース）を介して５Ｇコアネットワークエンティティ（例えば、ＡＭＦ（Ａｃｃｅｓｓ  ａｎｄ  Ｍｏｂｉｌｉｔｙ  Ｆｕｎｃｔｉｏｎ：アクセス／モビリティ機能））で終了する。ＵＥのユーザプレーントラフィックも、ＮＧ−Ｕインターフェースなどの１つ以上の基地局−コアネットワーク間ユーザプレーンインターフェースを介して、５Ｇのコアネットワークにおいて終了する。構成によっては、ＭｅＮＢとＳｇＮＢの両方がそれぞれコアネットワークとのＮＧ−Ｕインターフェースを備える場合もあるし、ＭｅＮＢのみがＮＧ−Ｕインターフェースを備える場合もある。
ＮＥ−ＤＣ（ＮＲ−Ｅ−ＵＴＲＡ  ＤＣ）：この場合、「マスタ」基地局（ＭＮ）は５Ｇ基地局（マスタｇＮＢ又は「ＭｇＮＢ」）であり、セカンダリ基地局（ＳＮ）は４Ｇ基地局（セカンダリｅＮＢ又は「ＳｅＮＢ」）である。このような状況下では、ＳｅＮＢは「セカンダリｎｇ−ｅＮＢ」と呼ぶこともできる。基地局同士は、Ｘｎインターフェースなどの基地局間インターフェースを介して接続される。ＵＥの制御プレーントラフィックは、ＭｇＮＢとの適切なインターフェース（例えば、ＮＧ−Ｃインターフェース）を介して５Ｇコアネットワークエンティティ（例えば、ＡＭＦ）で終了する。ＵＥのユーザプレーントラフィックも、ＮＧ−Ｕインターフェースなどの１つ以上の基地局−コアネットワーク間ユーザプレーンインターフェースを介して、５Ｇのコアネットワークにおいて終了する。構成によっては、ＭｇＮＢとＳｅＮＢの両方がそれぞれコアネットワークとのＮＧ−Ｕインターフェースを備える場合もあるし、ＭｇＮＢのみがＮＧ−Ｕインターフェースを備える場合もある。
【０００５】
ＭＲ−ＤＣのコンテキストでは、基地局（特に、ｇＮＢ／ｇＮＢ−ＤＵ）おいて当該基地局がサーブするＵＥに適用される無線構成の正確かつ最新の指示を、より広範の通信ネットワーク内の他の通信エンティティに効率的かつ効果的に提供する方法の問題に関する議論が行われてきた。
【０００６】
ＲＲＣ（Ｒａｄｉｏ  Ｒｅｓｏｕｒｃｅ  Ｃｏｎｔｒｏｌ：無線リソース制御）メッセージ（例えば、ＲＲＣ接続再構成（ＲＲＣ  ｃｏｎｎｅｃｔｉｏｎ  ｒｅｃｏｎｆｉｇｕｒａｔｉｏｎ）メッセージ）がＵＥに送信されて、ＭＲ−ＤＣ構成のマスタノード下で動作するセルのグループに適切な構成情報を提供する。ＥＮ−ＤＣの場合、分散型ｇＮＢのコンテキストでは、このＲＲＣメッセージは、ｅｎ−ｇＮＢ−ＣＵによって生成された情報とｅｎ−ｇＮＢ−ＤＵによって生成された情報とからなる。当該情報は、通常、専用の情報要素（例えば、「ＣｅｌｌＧｒｏｕｐＣｏｎｆｉｇ」ＩＥ）でシグナリングされるセルグループ構成情報で構成される。
【０００７】
一般に、構成情報は「フル」構成又は「デルタ」構成として（例えば、ＲＲＣメッセージで）提供される。「フル」構成は必要な構成情報をすベて提供するものであり、「デルタ」構成は、過去の構成が提供されてから変更があった構成のみ詳細を提供するものである。通常、ＥＮ−ＤＣ構成を最初にセットアップする場合、構成情報を提供する手順の最初のメッセージにはフル構成が含まれ、構成情報を提供する後続のメッセージ（例えば、構成情報に対する後続的な変更）にはデルタ構成が含まれる。例えば、データベアラが追加された場合、ｇＮＢ−ＤＵは、通常、構成情報の一部を変更し、変更後の情報の詳細をＣｅｌｌＧｒｏｕｐＣｏｎｆｉｇ  ＩＥでデルタ構成として提供する。
【０００８】
メッセージサイズの観点からは、一般的にデルタ構成が望ましい。しかし、フル構成を用いた場合、誤った構成パラメータ値が適用された場合でも正しい値にリセットすることができる（例えば、過去のデルタ／フル構成情報が欠落しているか、誤って適用されている場合など）。
【発明の概要】
【発明が解決しようとする課題】
【０００９】
しかしながら、ＭＲ−ＤＣシナリオで構成情報を提供する現在のメカニズムでは、特定の手順を効果的に実行できないことは明らかである。例えば、異なるｇＮＢ−ＤＵ間でモビリティ手順を実行する間、構成情報を提供する現在のメカニズムでは、マスタノードが構成情報を正常に又は効率的に処理できるとは限らないため、手順が失敗したり、正常に完了しなかったりすることがある。
【００１０】
本発明は、上述の問題に対処する又は少なくとも部分的に改善する方法、装置及び通信システムを提供することを目的とする。
【００１１】
本発明は、添付の独立請求項に記載の通りである。添付の従属請求項には、オプションとしての特徴が記載されている。
【課題を解決するための手段】
【００１２】
本発明の例示的な態様によれば、セルラ通信システムにおける分散型基地局装置の中央ユニットにより、前記分散型基地局装置のソース分散ユニットから前記分散型基地局装置のターゲット分散ユニットへのＵＥ（Ｕｓｅｒ  Ｅｑｕｉｐｍｅｎｔ：ユーザ装置）コンテキストの変更の一部として行われる方法であって、前記分散型基地局装置のターゲット分散ユニットに第１のメッセージを送信することと、前記分散型基地局装置のターゲット分散ユニットから、前記ターゲット分散ユニットについての構成情報を含む少なくとも１つのＩＥ（Ｉｎｆｏｒｍａｔｉｏｎ  Ｅｌｅｍｅｎｔ：情報要素）であって、前記ターゲット分散ユニットで適用される現在の構成についてのフル構成情報と、前記ターゲット分散ユニットで適用される現在の構成についてのデルタ構成情報であって、前記ターゲット分散ユニットで適用される現在の構成と別の構成との間の変更を表す前記デルタ構成情報とのうちの少なくとも１つを含む前記少なくとも１つのＩＥを含む第２のメッセージを受信することと、更なる基地局装置に、前記ターゲット分散ユニットについての前記受信した構成情報とフルタイプ又はデルタタイプ構成のどちらが用いられたかについての指示とを含む第３のメッセージを送信することと、を含む方法が提供される。
【００１３】
本発明の例示的な態様によれば、セルラ通信システムにおける基地局装置により、ＵＥ（Ｕｓｅｒ  Ｅｑｕｉｐｍｅｎｔ：ユーザ装置）コンテキストを分散型基地局装置のソース分散ユニットから前記分散型基地局装置のターゲット分散ユニットへ変更する手順の一部として行われる方法であって、前記ターゲット分散ユニットから、前記ターゲット分散ユニットについての構成情報とフルタイプ又はデルタタイプの構成のどちらが用いられたかについての指示とを含むメッセージを受信することと、前記受信した構成情報と前記指示とを用いて前記ＵＥで再構成手順を行うことと、を含む方法が提供される。
【００１４】
本発明の例示的な態様によれば、セルラ通信システムにおける分散型基地局装置の中央ユニットであって、前記分散型基地局装置のソース分散ユニットから前記分散型基地局装置のターゲット分散ユニットへのＵＥ（Ｕｓｅｒ  Ｅｑｕｉｐｍｅｎｔ：ユーザ装置）コンテキストの変更の一部として、前記分散型基地局装置のターゲット分散ユニットに、第１のメッセージを送信する手段と、前記分散型基地局装置のターゲット分散ユニットから、前記ターゲット分散ユニットについての構成情報を含む少なくとも１つのＩＥ（Ｉｎｆｏｒｍａｔｉｏｎ  Ｅｌｅｍｅｎｔ：情報要素）であって、前記ターゲット分散ユニットで適用される現在の構成についてのフル構成情報と、前記ターゲット分散ユニットで適用される現在の構成についてのデルタ構成情報であって、前記ターゲット分散ユニットで適用される現在の構成と別の構成との間の変更を表す前記デルタ構成情報とのうちの少なくとも１つを含む前記少なくとも１つのＩＥを含む第２のメッセージを受信する手段と、更なる基地局装置に、前記ターゲット分散ユニットについての前記受信した構成情報とフルタイプ又はデルタタイプの構成のどちらが用いられたかについての指示とを含む第３のメッセージを送信する手段と、を備える中央ユニットが提供される。
【００１５】
本発明の例示的な態様によれば、セルラ通信システムのための基地局装置であって、ＵＥ（Ｕｓｅｒ  Ｅｑｕｉｐｍｅｎｔ：ユーザ装置）コンテキストを分散型基地局装置のソース分散ユニットから前記分散型基地局装置のターゲット分散ユニットへ変更する手順中に、前記ターゲット分散ユニットから、前記ターゲット分散ユニットについての構成情報とフルタイプ又はデルタタイプの構成のどちらが用いられたかについての指示とを含むメッセージを受信する手段と、前記受信した構成情報を用いて前記ＵＥで再構成手順を行う手段と、を備える基地局装置が提供される。
【００１６】
本発明の例示的な態様は、対応するシステムと、装置と、プログラム可能なプロセッサをプログラムして上記例示的な態様に記載の方法及び特許請求の範囲に記載の可能性を実施させる、及び／又は好適に適合したコンピュータをプログラムして任意の請求項に記載の装置を提供させるように動作可能な命令を格納する、コンピュータ読取可能な記憶媒体などのコンピュータプログラム製品と、に及ぶ。
【００１７】
本明細書（特許請求の範囲を含む）に開示する及び／又は図面に示す各特徴は、開示する及び／又は図示する他の特徴とは独立して（又は組み合わせて）本発明に組み込まれてもよい。特に、特定の独立請求項に従属する請求項の特徴は、任意の組み合わせで、又は個別に、当該独立請求項に導入することができるが、これは限定的ではない。
【００１８】
当業者の理解の効率化のために、本発明は３ＧＰＰシステム（５Ｇネットワーク）のコンテキストを想定して詳細に説明するが、本発明の原理はスライススケジューリングを行う他のシステムにも適用することができる。
【００１９】
３ＧＰＰ規格では、ＮｏｄｅＢ（又はＬＴＥにおける「ｅＮＢ」、５Ｇにおける「ｇＮＢ」など）は、通信デバイス（ユーザ装置又は「ＵＥ」）がコアネットワークに接続し、他の通信デバイス又はリモートサーバと通信を行うための基地局である。通信デバイスは、例えば、モバイル電話、スマートフォン、スマートウォッチ、パーソナルデジタルアシスタント、ラップトップ／タブレットコンピュータ、ウェブブラウザ、電子書籍リーダなどのモバイル通信デバイスである。このようなモバイル（又は一般的に固定の）デバイスは、通常、ユーザによって操作される（したがって、これらを総称的にユーザ装置「ＵＥ」と呼ぶことも多い）。しかし、ＩｏＴデバイスや同様のＭＴＣデバイスをネットワークに接続することもできる。説明の簡略化のため、本願では、基地局という語はそのような任意の基地局を指し、モバイルデバイス又はＵＥという語はそのような任意の通信デバイスを指すものとする。
【図面の簡単な説明】
【００２０】
ここで、添付図面を参照して、本発明の例示的な実施形態の例を説明する。
【図１】図１は、本発明の例示的な実施形態を適用可能なモバイル（セルラ又は無線）通信システムを概略的に示す図である。
【図２】図２は、図１に示すシステムの一部を形成するモバイルデバイスを簡略化して示す概略ブロック図である。
【図３】図３は、図１に示すシステムの一部を形成するｅＮＢを簡略化して示す概略ブロック図である。
【図４】図４は、図１に示すシステムの一部を形成する分散型ｇＮＢを簡略化して示す概略ブロック図である。
【図５】図５は、ＭＲ−ＤＣシナリオにおける、ＳｇＮＢ主導によるＳｇＮＢ変更のための手順を簡略化して示すシグナリング図である。
【図６】図６は、ＭＲ−ＤＣシナリオにおける、ＭｅＮＢ主導によるＳｇＮＢ変更のための手順を簡略化して示すシグナリング図である。
【図７】図７は、ＳｇＮＢ主導によるｇＮＢ−ＤＵ間モビリティ手順を簡略化して示すシグナリング図である。
【図８】図８は、ＭｅＮＢ主導によるｇＮＢ−ＤＵ間モビリティ手順を簡略化して示すシグナリング図である。
【発明を実施するための形態】
【００２１】
（概要）
図１は、本発明の例示的な実施形態を適用可能なモバイル（セルラ又は無線）通信システムを概略的に示す図である。
【００２２】
通信システム１において、ＵＥ３−１、３−２、３−３は、例えば、Ｅ−ＵＴＲＡ及び／又は５Ｇ  ＲＡＴなどの適切な３ＧＰＰ  ＲＡＴ（Ｒａｄｉｏ  Ａｃｃｅｓｓ  Ｔｅｃｈｎｏｌｏｇｙ：無線アクセス技術）を用いて、それぞれ基地局５−１、５−２及びコアネットワーク７を介して、相互に及び他のＵＥと通信を行うことができる。複数の基地局５が（無線）アクセスネットワーク又は（Ｒ）ＡＮを形成してもよいものとする。当業者には明らかではあるが、図１が３つのモバイルデバイス３と２つの基地局５を例示目的で示す一方で、システム実装時には、通常、他の基地局及びＵＥも含まれる。
【００２３】
この例では、コアネットワーク７は、ＥＰＣ（Ｅｖｏｌｖｅｄ  Ｐａｃｋｅｔ  Ｃｏｒｅ）を含み、通信システム１において通信をサポートするための複数のコアネットワークノード又は機能を含む。特に、コアネットワークノードには、Ｓ−ＧＷ９とＭＭＥ１１とが含まれる。
【００２４】
基地局５は、次世代（５Ｇ）規格に従って動作するように構成された基地局（ｇＮＢ）５−２と、４Ｇ規格に従って動作するように構成された基地局（ｅＮＢ）５−１とを含む。この例では、ｇＮＢ５−２は、中央ユニット（ｇＮＢ−ＣＵ）５−２ｂと、それぞれ少なくとも１つの対応セル６−１〜６−３にサーブする複数の分散ユニット（ｇＮＢ−ＤＵ）５−２ａ−１〜５−２ａ−３とを有する分散型ｇＮＢ５−２を含む。ｇＮＢ５−２の中央ユニットと分散ユニットは、専用インターフェース（Ｆ１又はＦ１アプリケーションプロトコル（「Ｆ１ＡＰ」）インターフェースとして知られる）を介して相互に通信を行う。
【００２５】
基地局は、ｅＮＢ５−１が「マスタ」基地局（ＭｅＮＢ）として機能し、ｇＮＢ５−２がセカンダリ基地局（ＳｇＮＢ）として機能するＥＮ−ＤＣ構成で構成される。図１では、ｇＮＢ５−２は「ｅｎ−ｇＮＢ」と呼ばれる（また、対応する中央ユニット及び分散ユニットは、それぞれ「ｅｎ−ｇＮＢ−ＣＵ」及び「ｅｎ−ｇＮＢ−ＤＵ」と呼ばれる）。セカンダリｇＮＢ−ＣＵ５−２ｂとマスタｅＮＢ５−１は、基地局間インターフェース（この例では、制御プレーンＸ２−Ｃ及びユーザプレーンＸ２−Ｕ通信を提供するＸ２インターフェース）を介して接続される。ＵＥの制御プレーントラフィックは、基地局−コアネットワーク間制御プレーンインターフェース（この例では、Ｓ１−ＭＭＥインターフェース）を介して、マスタｅＮＢのコアネットワーク７（例えば、ＭＭＥ１１）で終了する。ＵＥのユーザプレーントラフィックも、Ｓ１−Ｕインターフェースなどの、１つ以上の基地局−コアネットワーク間ユーザプレーンインターフェースを介して、マスタｅＮＢのコアネットワーク（例えば、Ｓ−ＧＷ９）において終了する。この例では、マスタｅＮＢ５−１とセカンダリｇＮＢ５−２（ｅｎ−ｇＮＢ−ＣＵ５−２）の中央ユニットはそれぞれコアネットワーク７とのＳ１−Ｕインターフェースを備える。
【００２６】
各ＵＥ３及びそのサービング基地局（又はサービング基地局分散ユニット）５は、適切なエアインターフェース（例えば、いわゆる「Ｕｕ」インターフェースなど）を介して接続される。
【００２７】
ＵＥ３が通信システム１内を移動する場合、ｅｎ−ｇＮＢ５−２の分散ユニット５−２ａが変更することがある（これは「ＤＵ間モビリティ」と呼ばれる）。例えば、図１のＵＥ３−２は、セル６−１からセル６−２に移動した場合、ｅｎ−ｇＮＢ５−２の中央ユニットＣＵ５−２ｂにおいて、ｅｎ−ｇＮＢ−ＤＵ５−２ａ−１（ソースＤＵとして機能する）からｅｎ−ｇＮＢ−ＤＵ５−２ａ−２（ターゲットＤＵとして機能する）へのモビリティがトリガされる。通常、この変更によって、ターゲットｅｎ−ｇＮＢ−ＤＵ５−２ａ−２を介した通信を成功させるためにＵＥに送達するセルグループ構成情報を変更する必要がある。この新しいセルグループ構成情報は、ｇＮＢ−ＣＵ５−２ｂから適切なＵＥコンテキストを設定するように要求された場合にターゲットｇＮＢ−ＤＵ５−２ａ−２において生成され、「フル」又は「デルタ」セルグループ構成情報としてｇＮＢ−ＣＵ５−２ｂに提供される。
【００２８】
しかしながら、構成情報をマスタｅＮＢで正常に処理できるようにするために、ｇＮＢ−ＣＵ５−２ｂは、ターゲットｇＮＢ−ＤＵ５−２ａ−２がマスタｅＮＢ５−１にフル構成情報を適用したか又は部分的な（「デルタ」）構成情報を適用したかの指示を有益に提供する。この例では、上記指示は、上記構成情報を提供するターゲットｇＮＢ−ＤＵ５−２ａ−２からのメッセージをｇＮＢ−ＣＵ５−２ｂが受信した後に送信される（ただし、上記指示は別個に送信してもよいものとする）同一メッセージ（「ＳｇＮＢ変更必要（ＳｇＮＢ  ｍｏｄｉｆｉｃａｔｉｏｎ  ｒｅｑｕｉｒｅｄ）」メッセージなどのＸ２ＡＰメッセージ）内で上記構成情報とともに提供される。
【００２９】
図１は、ＵＥ３−２のモビリティが中央ユニットＣＵ５−２ｂでトリガされる様子を示す。しかしながら、後により詳細に説明するように、同様のモビリティ手順はマスタｅＮＢ５−１によってトリガしてもよいものとする。このＤＵの変更の際には、通常、ターゲットｅｎ−ｇＮＢ−ＤＵ５−２ａ−２を介した通信を正常に行うためにＵＥに配信する必要のあるセルグループ構成情報を変更しなければならない可能性がある。ＣＵ主導のモビリティ同様に、ｇＮＢ−ＣＵ５−２ｂから適切なＵＥコンテキストをセットアップする要求があった場合、この新しいセルグループ構成情報は、ターゲットｇＮＢ−ＤＵ５−２ａ−２で生成され、「フル」又は「デルタ」セルグループ構成情報としてｇＮＢ−ＣＵ５−２ｂに提供される。
【００３０】
マスタｅＮＢがモビリティをトリガした場合において構成情報をマスタｅＮＢで正常に処理できるようにするために、ｇＮＢ−ＣＵ５−２ｂは、ターゲットｇＮＢ−ＤＵ５−２ａ−２がマスタｅＮＢ５−１にフル構成情報を適用したか又は部分的な（「デルタ」）構成情報を適用したかの指示を有益に提供する。この例では、上記指示は、上記構成情報を提供するターゲットｇＮＢ−ＤＵ５−２ａ−２からのメッセージをｇＮＢ−ＣＵ５−２ｂが受信した後に送信される（ただし、上記指示は別個に送信してもよいものとする）同一メッセージ（「ＳｇＮＢ変更要求確認（ＳｇＮＢ  ｍｏｄｉｆｉｃａｔｉｏｎ  ｒｅｑｕｅｓｔ  ａｃｋｎｏｗｌｅｄｇｅ）」メッセージなどのＸ２ＡＰメッセージ）内で上記構成情報とともに提供される。
【００３１】
そのような指示の提供が不要と考えられる一方で、本発明者らは、上記モビリティ手順中にマスタ基地局にそのような指示が提供されなければ、ターゲットｇＮＢ−ＤＵ５−２ａ−２においてフル構成が適用された場合に、マスタ基地局が当該構成情報を正常に処理することができず、ＲＲＣ再構成手順中に対応する指示をＵＥ３−２に提供することができない可能性があると考えた。
【００３２】
例えば、図１はＥＮ−ＤＣ構成の例を示したが、この例に関連して説明した概念は、上記導入部分において説明した他の任意のＭＲ−ＤＣ構成にも適用できるものとする。例えば、他のＭＲ−ＤＣ構成の１つでは、ＤＵ−ＤＵモビリティ中に、適切なアプリケーションプロトコル（例えば、上述のＸ２ＡＰメッセージの１つとは異なるＸｎＡＰメッセージなど）を使用してマスタノード（例えば、４Ｇ又は５Ｇマスタノード）に送信される別のメッセージ内で、ターゲットノードがフル構成情報を適用したか又は部分的な（「デルタ」）構成情報を適用したかの指示を提供してもよい。
【００３３】
ＵＥ（ユーザ装置）
図２は、図１に示す通信システム１に適したＵＥ３の主要構成要素を示すブロック図である。
【００３４】
図示のように、ＵＥ３は、１つ以上のアンテナ２３３を介して接続ノードと信号の送受信を行うように動作可能なトランシーバ回路２３１を含む。図２には示されていないが、ＵＥ３が一般的なモバイルデバイスの通常の機能（ユーザインターフェース２３５など）をすベて備えることは明らかである。これは、ハードウェア、ソフトウェア及びファームウェアのいずれか１つ又はこれらの任意の組み合わせによって適宜実現可能である。
【００３５】
コントローラ２３７は、メモリ２３９に記憶されたソフトウェアに従ってＵＥ３の動作を制御する。上記ソフトウェアは、メモリ２３９に事前にインストールしてもよいし、例えば、通信ネットワーク１を介して、又はＲＭＤ（リムーバブルデータストレージデバイス）から、ダウンロードしてもよい。
【００３６】
ソフトウェアは、特に、オペレーティングシステム２４１、通信制御モジュール２４３、測定モジュール２４５、及びＲＲＣモジュール２４７を含む。
【００３７】
通信制御モジュール２４３は、ＵＥ３と基地局５との間の通信を制御するように動作可能である。また、通信制御モジュール２４３は、基地局５に送信する上りリンクデータ及び制御データの個々のフローと、基地局５によって送信される下りリンクデータ及び制御データの受信と、を制御する。通信制御モジュール２４３は、例えば、セル（再）選択、セル上でのキャンピング、システム情報のリスニング、ＲＡＣＨ（Ｒａｎｄｏｍ  Ａｃｃｅｓｓ  ＣＨａｎｎｅｌ：ランダムアクセスチャネル）手順など、アイドル及び接続モード手順におけるＵＥのパートの管理を担う。
【００３８】
測定モジュール２４５は、サービングセル及び隣接セルにおける通信状態（例えば、受信信号電力及び品質）の測定の実行を（例えば、基地局５から受信した測定構成及び制御情報に基づいて）ハンドリングする。また、測定モジュール２４５は、対応の測定レポートを生成して基地局５に送信する。
【００３９】
ＲＲＣモジュール２４７は、ＵＥ３のＲＲＣレイヤ機能の制御を（通信制御モジュール２４３の全体的な制御下で）担う。
【００４０】
ＬＴＥ基地局（ｅＮＢ）
図３は、図１に示すｅＮＢ５−１（すなわち、ＭｅＮＢ）の主要構成要素を示すブロック図である。
【００４１】
図示のように、ｅＮＢ５−１は、１つ以上のアンテナ３５３を介して接続ＵＥ３と信号の送受信を行うと共に、ネットワークインターフェース３５５を介して他のネットワークノードと（直接的又は間接的に）信号の送受信を行うように動作可能なトランシーバ回路３５１を少なくとも１つ含む。ネットワークインターフェース３５５は、通常、１つ以上の適切な基地局間インターフェース（Ｘ２／Ｘｎなど）及び１つ以上の基地局−コアネットワーク間インターフェース（Ｓ１／Ｎ１／Ｎ２／Ｎ３など）を含む。
【００４２】
コントローラ３５７は、メモリ３５９に記憶されたソフトウェアに従って基地局５−１の動作を制御する。上記ソフトウェアは、メモリ３５９に事前にインストールしてもよいし、例えば、通信ネットワーク１を介して、又はＲＭＤから、ダウンロードしてもよい。上記ソフトウェアは、特に、オペレーティングシステム３６１、通信制御モジュール３６３、Ｘｎ／Ｘ２モジュール３６５、ＣＮインターフェースモジュール３６７、ＳＮ管理モジュール３７１、及びＭｅＮＢ動作モジュール３７３を含む。
【００４３】
通信制御モジュール３６３は、基地局５−１と、ＵＥ３やコアネットワークノードなど他のノードとの間でシグナリングのハンドリング（生成／送信／受信）を担う。また、通信制御モジュール３６３は、上りリンク及び下りリンクユーザトラフィックの個々のフローと、ｅＮＢ５−１（及びセカンダリｇＮＢとして動作するｇＮＢ）がサーブするＵＥ３に送信する制御データを制御する。当該制御データには、例えば、ＵＥ３の動作を管理するための制御データが含まれる。
【００４４】
通信制御モジュール３６３は、例えば、測定制御／構成情報やシステム情報の通信、ＲＡＣＨ手順におけるｅＮＢのパートなどの手順の制御を担う。また、通信制御モジュール３６３は、隣接する基地局５とのインターフェースのセットアップ、構成、及び再構成を行う際のｅＮＢのパートの管理を担う。また、通信制御モジュール３６３は、モビリティ関連の決定を行うこと、ターゲットを選択することなど（該当する場合）を含む、モビリティ手順におけるｅＮＢのパートの管理を担う。
【００４５】
Ｘｎ／Ｘ２モジュール３６５は、図１に示すＥＮ−ＤＣ構成におけるｅＮＢ５−１とｅｎ−ｇＮＢ５−２との間のＸ２トラフィックなど、基地局間インターフェースを介したｅＮＢトラフィック（及び／又は他のＬＴＥ基地局とのＸ２トラフィック、及び／又はＮＥ−ＤＣ又はＮＧＥＮ−ＤＣ構成の一部を形成するｇＮＢとのＸｎトラフィックなど）の管理を（通信制御モジュール３６３の全体的な制御下で）担う。
【００４６】
ＣＮインターフェースモジュール３６７は、ＣＮインターフェースモジュール３６７自身と図１に示すＥＮ−ＤＣ構成におけるＥＰＣ７との間のＳ１−Ｕ／Ｓ１−Ｃトラフィックなど、基地局‐コアネットワーク間インターフェースを介したｅＮＢトラフィック（及び／又はＣＮインターフェースモジュール３６７自身とＮＥ−ＤＣ又はＮＧＥＮ−ＤＣの５ＧＣとの間の対応のインターフェースを介したトラフィック）の管理を（通信制御モジュール３６３の全体的な制御下で）担う。
【００４７】
ＳｇＮＢ管理モジュール３７１は、ｅＮＢ５−１がマスタｅＮＢとして動作する場合（例えば、図１に示すＥＮ−ＤＣ構成におけるＭｅＮＢとして構成された場合）、セカンダリノード（ＳＮ）と相互作用する手順の管理を担う。これらの手順は、例えば、ＳｇＮＢ主導によるＳｇＮＢ変更手順、ＭｅＮＢ主導によるＳｇＮＢ変更準備（ＳｇＮＢ  ｍｏｄｉｆｉｃａｔｉｏｎ  ｐｒｅｐａｒａｔｉｏｎ）手順などを含んでもよい。
【００４８】
ＭｅＮＢ動作モジュール３７３は、ｅＮＢを（例えば、図１に示すＥＮ−ＤＣ構成におけるＭｅＮＢとして構成された場合に）マスタｅＮＢとして動作させることを担う。
【００４９】
分散型基地局（ｇＮＢ）
図４は、図１に示したタイプの分散型ｇＮＢ５−２の主要構成要素を示すブロック図である。
【００５０】
図示のように、ｇＮＢ５−２は、少なくとも１つの分散ユニット５−２ａ及び中央ユニット５−２ｂを含む。各ユニット５−２ａ、５−２ｂは、それぞれトランシーバ回路４５１ａ、４５１ｂを含む。分散ユニット５−２ａのトランシーバ回路４５１ａは、１つ以上のアンテナ４５３ａを介してＵＥ３と信号の送受信を行うように動作可能であると共に、インターフェース４５４ａを介して中央ユニット５−２ｂと信号の送受信を行うように動作可能である。
【００５１】
中央ユニット５−２ｂトランシーバ回路４５１ｂは、ネットワークインターフェース４５６ｂを介してコアネットワーク７及び／又は他のｇＮＢ５の機能と信号の送受信を行うように動作可能である。ネットワークインターフェースは、通常、コアネットワークと通信を行うための基地局‐コアネットワーク間インターフェース（例えば、Ｓ１−Ｕインターフェース）と、他の基地局（例えば、ＭｅＮＢ５−１及び／又は他のｇＮＢ）と通信を行うための１つ以上の基地局間インターフェース（例えば、Ｘｎ／Ｘ２インターフェース）を含む。また、中央ユニット５−２ｂのトランシーバ回路４５１ｂは、インターフェース４５４ｂ（例えば、Ｆ１インターフェース）を介して１つ以上の分散ユニット５−２ｂと信号の送受信を行うように動作可能である。
【００５２】
各ユニット５−２ａ、５−２ｂは、それぞれコントローラ４５７ａ、４５７ｂを含む。これらのコントローラ４５７ａ、４５７ｂは、分散ユニット５−２ａ及び中央ユニット５−２ｂのそれぞれのメモリ４５９ａ及び４５９ｂに格納されたソフトウェアに従って、対応するトランシーバ回路４５１ａ、４５１ｂの動作を制御する。各ユニットのソフトウェアは、特に、それぞれのオペレーティングシステム４６１ａ、４６１ｂ、それぞれの通信制御モジュール４６３ａ、４６３ｂ、それぞれのＦ１モジュール４６５ａ、４６５ｂ、及びそれぞれのＵＥコンテキスト管理モジュール４７３ａ、４７３ｂを含む。中央ユニット５−２ｂは、Ｘｎ／Ｘ２モジュール４６７ｂ、ＣＮインターフェースモジュール４６９ｂ、及びＳｇＮＢ動作モジュール４７１ｂも含む。分散ユニット５−２ａには、ＲＲＣモジュール４６８ａも含まれる。
【００５３】
各通信制御モジュール４６３ａ、４６３ｂは、一方のユニットから他方のユニットへの通信を含む、対応するユニット５−２ａ、５−２ｂの通信を制御するように動作可能である。分散ユニット５−２ａの通信制御モジュール４６３ａは、分散ユニット５−２ａとＵＥ３との間の通信を制御し、中央ユニット５−２ｂの通信制御モジュール４６３ｂは、中央ユニット５−２ｂとｇＮＢ５−２に接続されている他のネットワークエンティティ（例えば、ＭｅＮＢ５−１）との間の通信を制御する。
【００５４】
また、各通信制御モジュール４６３ａ、４６３ｂは、ｇＮＢ５−２がサーブするＵＥ３との間で送受信される上りリンク及び下りリンクユーザトラフィックフローにおいて分散ユニット５−２ａ及び中央ユニット５−２ｂが行うパートをそれぞれ制御する。各通信制御モジュール４６３ａ、４６３ｂは、例えば、測定制御／構成情報やシステム情報の通信において分散ユニット５−２ａ及び中央ユニット５−２ｂがそれぞれ行うパート、ＲＡＣＨ手順におけるｇＮＢのパートなどの制御を担う。また、各通信制御モジュール４６３ａ、４６３ｂは、例えば、セットアップにおけるｇＮＢのパート、隣接ｇＮＢとのｇＮＢ間インターフェースの構成及び再構成などの管理において分散ユニット５−２ａ及び中央ユニット５−２ｂがそれぞれ行うパートなどの制御を担う。また、各通信制御モジュール４６３ａ、４６３ｂは、例えば、モビリティの決定、ターゲットの選択（該当する場合）などモビリティ手順におけるｇＮＢのパートの管理において分散ユニット５−２ａ及び中央ユニット５−２ｂがそれぞれ行うパートなどの制御を担う。
【００５５】
各Ｆ１モジュール４６５ａ、４６５ｂは、分散ユニット５−２ａと中央ユニット５−２ｂとの間で、ＣＵ‐ＤＵ（Ｆ１）間インターフェースを介したトラフィックの管理を（対応する通信制御モジュール４６３ａ、４６３ｂの全体的な制御下で）担う。
【００５６】
ＵＥコンテキスト管理モジュール４７３ａ、４７３ｂは、中央ユニット５−２ｂと分散ユニット５−２ａとの間でＵＥコンテキストのセットアップ、管理及び維持を担う。ＵＥコンテキスト管理モジュール４７３ａ、４７３ｂは、例えば、ＵＥコンテキストセットアップ手順、ＵＥコンテキスト解放手順、ＵＥコンテキスト変更手順などのＵＥコンテキスト関連手順の管理を（対応する通信制御モジュール４６３ａ、４６３ｂの全体的な制御下で）担う。
【００５７】
中央ユニット５−２ｂのＸｎ／Ｘ２モジュール４６７ｂは、図１に示すＥＮ−ＤＣ構成におけるＭｅＮＢ５−１とのＸ２トラフィック（及び／又は他のｇＮＢとのＸｎトラフィック）など、基地局間インターフェースを介したｇＮＢトラフィックの管理を（通信制御モジュール４６３ｂの全体的な制御下で）担う。
【００５８】
中央ユニット５−２ｂのＣＮインターフェースモジュール４６９ｂは、ＣＮインターフェースモジュール４６９ｂ自身と図１に示すＥＮ−ＤＣ構成におけるＥＰＣ７との間のＳ１−Ｕトラフィックなど、基地局‐コアネットワーク間インターフェースを介したｇＮＢトラフィックの管理を（通信制御モジュール４６３ｂの全体的な制御下で）担う。
【００５９】
中央ユニット５−２ｂのＳｇＮＢ動作モジュール４７１ｂは、ｇＮＢ５−２のセカンダリｇＮＢとしての（例えば、図１に示すＥＮ−ＤＣ構成においてＳｇＮＢとして構成された場合の）動作の管理を担う。
【００６０】
分散ユニット５−２ａ２４７のＲＲＣモジュール４６８ａは、ｇＮＢ５−２のＲＲＣレイヤ機能及びＵＥ３との対応のＲＲＣ通信の制御を（通信制御モジュール４６３ａの全体的な制御下で）担う。
【００６１】
以下、例示としてのみ複数の手順を説明する。これらの手順は、多くの利点を有する効率的なシグナリングメカニズムを提供するために実装することができる。
【００６２】
ＳｇＮＢ主導によるＳｇＮＢ変更
ここで参照する図５は、ＭＲ−ＤＣシナリオにおける、ＳｇＮＢ主導によるＳｇＮＢ変更のための手順を簡略化して示すシグナリング図である。この手順は、例えば、ｅｎ−ｇＮＢ５−２が、ＤＵ間モビリティなどの間にｅｎ−ｇＮＢ５−２ｂでＵＥコンテキストを変更するのに用いることができる。
【００６３】
図５に示すように、ステップＳ５０３で、ｅｎ−ｇＮＢは、変更必要メッセージ（この例では、「ＳｇＮＢ変更必要（ＳｇＮＢ  ｍｏｄｉｆｉｃａｔｉｏｎ  ｒｅｑｕｉｒｅｄ）」メッセージ）をＭｅＮＢに送信することによって手順を開始する。このメッセージは、更なるＩＥ（Ｉｎｆｏｒｍａｔｉｏｎ  Ｅｌｅｍｅｎｔ：情報要素）に加えて、ターゲットＤＵの新しいセルグループ構成情報を含むＭｅＮＢ−ＳｇＮＢコンテナ（ＭｅＮＢ−ｔｏ−ＳｇＮＢ  ｃｏｎｔａｉｎｅｒ）ＩＥを（例えば、ＣＧ−Ｃｏｎｆｉｇメッセージ内に）含んでもよい。
【００６４】
図５に例示する変更必要メッセージに含まれる更なるＩＥの１つは、ｅｎ−ｇＮＢで用いるＲＲＣ構成のタイプ（すなわち、ｅｎ−ｇＮＢが「フル」構成を適用しているか「デルタ」構成を適用しているか）の指示である。このＩＥは、例えば、ＲＲＣ構成指示（ＲＲＣ  ｃｏｎｆｉｇ  ｉｎｄｉｃａｔｉｏｎ）ＩＥなどとして提供される。ＭｅＮＢがｅｎ−ｇＮＢ５−２から要求のあった変更を実行可能な場合、ＭｅＮＢ５−１は、ステップＳ５０４において確認メッセージ（この例では、ＳｇＮＢ変更確認（ＳｇＮＢ  ｍｏｄｉｆｉｃａｔｉｏｎ  ｃｏｎｆｉｒｍ）メッセージ）で応答する。
【００６５】
したがって、例えば、ＤＵの変更などを伴うモビリティ手順の一部としてｅｎ−ｇＮＢがフル構成を適用する場合、ｅｎ−ｇＮＢは、ＲＲＣ構成指示ＩＥ（例えば、「フル」に設定）をＳｇＮＢ変更必要メッセージに含めてＭｅＮＢに通知することができる。
【００６６】
上記手順でＳｇＮＢ変更必要メッセージ（ＲＲＣ構成指示ＩＥを含む）に含むことのできる情報要素の例を以下の表１−１及び１−２に示す（第４列目の参照番号は３ＧＰＰ  ＴＳ３６．４２３に基づく）。
【００６７】
【表１−１】
2021528018.tif 000003
【００６８】
【表１−２】
2021528018.tif 000004
【００６９】
上記表１−２中に規定した「ＲＲＣ構成指示」ＩＥの詳細を以下の表２に示す。
【００７０】
【表２】
2021528018.tif 000005
【００７１】
ＭｅＮＢ主導によるＳｇＮＢ変更の準備
ここで参照する図６は、ＭＲ−ＤＣシナリオにおける、ＭｅＮＢ主導によるＳｇＮＢ変更のための手順を簡略化して示すシグナリング図である。
【００７２】
ＭｅＮＢは、この手順を使用して、ｅｎ−ｇＮＢにｅｎ−ｇＮＢでのＵＥコンテキストを変更するように要求したり、ＭｅＮＢ主導によるＳｇＮＢ変更においてデルタシグナリングをサポートするために現在のＳＣＧ（Ｓｅｃｏｎｄａｒｙ  Ｃｅｌｌ  Ｇｒｏｕｐ：セカンダリセルグループ）構成を照会したり、Ｓ−ＲＬＦ（Ｓｅｃｏｎｄａｒｙ  Ｒａｄｉｏ  Ｌｉｎｋ  Ｆａｉｌｕｒｅ：セカンダリ無線リンク障害）に関する情報をｅｎ−ｇＮＢに提供したりすることができる。
【００７３】
図６に示すように、ステップＳ６０３で、ＭｅＮＢ５−１は、変更要求メッセージ（この例では、「ＳｇＮＢ変更要求（ＳｇＮＢ  ｍｏｄｉｆｉｃａｔｉｏｎ  ｒｅｑｕｅｓｔ）」メッセージ）をｅｎ−ｇＮＢ５−２に送信することで手順を開始する。
【００７４】
Ｍｅｎ−ｇＮＢ５−２は、ステップＳ６０４で、確認メッセージ（この例では、ＳｇＮＢ変更要求確認メッセージ）で応答をする。このメッセージは、更なるＩＥに加えて、ターゲットＤＵの新しいセルグループ構成情報を含むＭｅＮＢ−ＳｇＮＢコンテナＩＥを（例えば、ＣＧ−Ｃｏｎｆｉｇメッセージ内に）含んでもよい。このメッセージは、ｅｎ−ｇＮＢで用いるＲＲＣ構成のタイプ（すなわち、ｅｎ−ｇＮＢが「フル」構成を適用しているか「デルタ」構成を適用しているか）の指示を提供する更なるＩＥを含んでもよい。このＩＥは、例えば、ＲＲＣ構成指示ＩＥなどとして提供される。
【００７５】
したがって、例えば、ＤＵの変更などを伴うモビリティ手順の一部としてｅｎ−ｇＮＢがフル構成を適用する場合、ｅｎ−ｇＮＢは、ＲＲＣ構成指示ＩＥをＳｇＮＢ変更要求確認メッセージに含めてＭｅＮＢに通知することができる。
【００７６】
上記手順でＳｇＮＢ要求確認メッセージ（ＲＲＣ構成指示ＩＥを含む）に含むことのできる情報要素の例を以下の表３−１、３−２、３−３及び３−４に示す（第４列目の参照番号は３ＧＰＰ  ＴＳ３６．４２３に基づく）。
【００７７】
【表３−１】
2021528018.tif 000006
【００７８】
【表３−２】
2021528018.tif 000007
【００７９】
【表３−３】
2021528018.tif 000008
【００８０】
【表３−４】
2021528018.tif 000009
【００８１】
上記表３−４中に規定の「ＲＲＣ構成指示」ＩＥの詳細を以下の表４に示す。
【００８２】
【表４】
2021528018.tif 000010
【００８３】
ｇＮＢ−ＣＵ主導によるモビリティ
ここで参照する図７は、ｇＮＢ−ＣＵ主導によるｇＮＢ−ＤＵ間モビリティ手順（「ＳＮ主導ＳＮ変更」手順として知られる）中に発生するステップであり、図５を参照して上で簡単に概要を示した手順と同様の手順を組み込んだ、所定のＵＥにサーブするＤＵを変更するためのステップを示すシグナリング図である。この手順では、ＵＥに対応するシグナリングを用いるものとする。
【００８４】
最初に、ＵＥ３−２が、ソースｅｎ−ｇＮＢ−ＤＵ５−２ａ−１を介してｅｎ−ｇＮＢ−ＣＵ５−２ｂと下りリンク及び上りリンク通信中であることがわかる。
【００８５】
ステップＳ７０１において、ｅｎ−ｇＮＢ−ＣＵ５−２ｂは、モビリティ手順をトリガして、ＵＥコンテキストを異なる（ターゲット）ｅｎ−ｇＮＢ−ＤＵ５−２ａ−２に転送する。ｅｎ−ｇＮＢ−ＣＵ５−２ｂは、ステップＳ７０３で、ＵＥコンテキストセットアップ要求（ＵＥ  ｃｏｎｔｅｘｔ  ｓｅｔｕｐ  ｒｅｑｕｅｓｔ）メッセージを、Ｆ１インターフェースを介して、ターゲットｅｎ−ｇＮＢ−ＤＵ５−２ａ−２に送信する。このメッセージは、ターゲットｅｎ−ｇＮＢ−ＤＵ５−２ａ−２でＵＥコンテキストの作成を開始するのに用いられ、１つ以上の無線ベアラのセットアップを行うことを担う。ターゲットｅｎ−ｇＮＢ−ＤＵ５−２ａ−２は、ステップＳ７０４で、使用されるＲＲＣ構成のタイプ（「フル」又は「デルタ」）の指示を含むＵＥコンテキストセットアップ応答（ＵＥ  ｃｏｎｔｅｘｔ  ｓｅｔｕｐ  ｒｅｓｐｏｎｓｅ）メッセージで応答をする。
【００８６】
この指示を受信すると、ｅｎ−ｇＮＢ−ＣＵ５−２ｂは、ステップＳ７０５において、変更必要メッセージ（例えば、Ｘ２ＡＰ「ＳｇＮＢ変更必要」メッセージ）をＭｅＮＢに送信する。当該変更必要メッセージは、ステップＳ７０４で対応のＩＥで受信した指示（例えば、ＲＲＣ構成指示ＩＥ）を含む。
【００８７】
変更必要メッセージが送信されると、ｅｎ−ｇＮＢ−ＣＵ５−２ｂは、ステップＳ７０６に進み、ＵＥコンテキスト変更要求メッセージをソースｅｎ−ｇＮＢ−ＤＵ５−２ａ−１に送信し、ＵＥ３−２へのデータ送信を停止するように指示する。そして、ソースｅｎ−ｇＮＢ−ＤＵ５−２ａ−１は、下りリンクデータ配信ステータス（ｄｏｗｎｌｉｎｋ  ｄａｔａ  ｄｅｌｉｖｅｒｙ  ｓｔａｔｕｓ）フレームをｅｎ−ｇＮＢ−ＣＵ５−２ｂに送信して、ＵＥへの送信が失敗した下りリンクデータについてｅｎ−ｇＮＢ−ＣＵ５−２ｂに通知する。ソースｅｎ−ｇＮＢ−ＤＵ５−２ａ−１は、ステップＳ７０７に進み、ＵＥコンテキスト変更応答（ＵＥ  ｃｏｎｔｅｘｔ  ｍｏｄｉｆｉｃａｔｉｏｎ  ｒｅｓｐｏｎｓｅ）メッセージをｅｎ−ｇＮＢ−ＣＵ５−２ｂに送信する。次に、ＭｅＮＢ５−１及びＵＥ３−２は、ステップＳ７０８において、手順の前半で受信したＲＲＣ構成指示ＩＥを用いて正しく構築されたＲＲＣ再構成（ＲＲＣ  ｒｅｃｏｎｆｉｇｕｒａｔｉｏｎ）手順を実行することができる。
【００８８】
続いて、ステップＳ７０９において、ＭｅＮＢ５−１は、ＳｇＮＢ変更確認（ＳｇＮＢ  ｍｏｄｉｆｉｃａｔｉｏｎ  ｃｏｎｆｉｒｍ）メッセージをｅｎ−ｇＮＢ−ＣＵ５−２ｂに送信する。次に、ソースｅｎ−ｇＮＢ−ＤＵ５−２ｂで正常に送信されなかったデータを含む可能性のある下りリンクパケットは、「下りリンクユーザデータ」が示すように、ｅｎ−ｇＮＢ−ＣＵ５−２ｂによってターゲットｅ−ｇＮＢ−ＤＵ５−２ａ−２に送信される。ステップ７１０において、ターゲットｅｎ−ｇＮＢ−ＤＵ５−２ａ−２でランダムアクセス手順が実行される。そして、「下りリンクユーザデータ」の矢印が示すように、下りリンクパケットをＵＥ３−２に送信することができ、上りリンクパケットをＵＥ３−２から送信することができる。これらは、「上りリンクユーザデータ」の矢印が示すように、ターゲットｅｎ−ｇＮＢ−ＤＵ５−２ａ−２を介してｅｎ−ｇＮＢ−ＣＵ５−２ｂに転送される。
【００８９】
次に、ｅｎ−ｇＮＢ−ＣＵ５−２ｂは、ステップＳ７１１において、ＵＥコンテキスト解放コマンド（ＵＥ  ｃｏｎｔｅｘｔ  ｒｅｌｅａｓｅ  ｃｏｍｍａｎｄ）メッセージをソースｅｎ−ｇＮＢ−ＤＵ５−２ａ−１に送信する。最後に、ステップＳ７１２において、ソースｅｎ−ｇＮＢ−ＤＵ５−２ａ−１がＵＥコンテキストを解放し、ｅｎ−ｇＮＢ−ＣＵ５−２ｂにＵＥコンテキスト解放完了（ＵＥ  ｃｏｎｔｅｘｔ  ｒｅｌｅａｓｅ  ｃｏｍｐｌｅｔｅ）メッセージで応答する。これにより、手順が完了する。
【００９０】
ＭｅＮＢ主導によるモビリティ
ここで参照する図８は、ＭｅＮＢ主導によるｇＮＢ−ＤＵ間モビリティ手順（「ＭＮ主導ＳＮ変更」手順として知られる）中に発生するステップであり、図６を参照して上で簡単に概要を示した手順と同様の手順を組み込んだ、所定のＵＥにサーブするＤＵを変更するためのステップを示すシグナリング図である。この手順では、ＵＥに対応するシグナリングを用いるものとする。
【００９１】
最初に、ＵＥが、ソースｅｎ−ｇＮＢ−ＤＵ５−２ａ−１を介してｅｎ−ｇＮＢ−ＣＵ５−２ｂと下りリンク及び上りリンク通信中であることがわかる。
【００９２】
ステップＳ８０１において、ＵＥは、測定報告（ｍｅａｓｕｒｅｍｅｎｔ  ｒｅｐｏｒｔ）メッセージをＭｅＮＢ５−１に送信する。
【００９３】
ＭｅＮＢは、ＵＥ３−２を新しい（ターゲット）ｇＮＢ−ＤＵ５−２ａ−２に転送するモビリティ手順を開始することを（例えば、測定結果に基づいて）決定する。モビリティ手順を開始するには、ＭｅＮＢ５−１は、ステップＳ８０２で、ＳｇＮＢ変更要求メッセージをｅｎ−ｇＮＢ−ＣＵ５−２ｂに送信する。これにより、ステップＳ８０３で、Ｆ１インターフェースを介したターゲットｅｎ−ｇＮＢ−ＤＵ５−２ａ−２へのＵＥコンテキストセットアップ要求メッセージの送信がトリガされる。このメッセージは、ターゲットｅｎ−ｇＮＢ−ＤＵ５−２ａ−２でＵＥコンテキストの作成を開始するのに用いられ、１つ以上の無線ベアラのセットアップを行うことを担う。ターゲットｅｎ−ｇＮＢ−ＤＵ５−２ａ−２は、ステップＳ８０４で、使用されるＲＲＣ構成のタイプ（「フル」又は「デルタ」）の指示を含むＵＥコンテキストセットアップ要求メッセージで応答をする。
【００９４】
この指示を受信すると、ステップＳ８０５において、ｅｎ−ｇＮＢ−ＣＵ５−２ｂは、ステップＳ８０４でＩＥで受信した指示を含む変更要求確認メッセージを、ＭｅＮＢ５−１に送信する。この情報要素は、ＲＲＣ構成指示ＩＥとも呼ばれる。変更必要メッセージは、「ＳｇＮＢ変更要求確認メッセージ」とも呼ばれ、Ｘ２インターフェース（例えば、Ｘ２ＡＰインターフェース）を介して送信することができる。情報要素はＲＲＣ構成指示ＩＥとも呼ばれる。
【００９５】
変更要求確認メッセージが送信されると、ｅｎ−ｇＮＢ−ＣＵ５−２ｂはステップＳ８０６に進み、ＵＥコンテキスト変更要求メッセージをソースｅｎ−ｇＮＢ−ＤＵ５−２ａ−１に送信して、ＵＥへのデータ送信を停止するように指示する。ソースｅｎ−ｇＮＢ−ＤＵ５−２ａ−１は、下りリンクデータ配信状態フレームをｅｎ−ｇＮＢ−ＣＵ５−２ｂに送信して、ＵＥ３−２への送信が失敗した下りリンクデータについてｅｎ−ｇＮＢ−ＣＵ５−２ｂに通知する。ソースｅｎ−ｇＮＢ−ＤＵ５−２ａ−１は、ステップＳ８０７で、ＵＥコンテキスト変更応答メッセージをｅｎ−ｇＮＢ−ＣＵ５−２ｂに送信する。次に、ステップＳ８０８で、ＭｅＮＢ及びＵＥは、フル構成がターゲットＤＵにおいて適用されている場合であっても、手順の前半で受信したＲＲＣ構成指示ＩＥの設定に基づいて、正しく構築された構成情報を用いて、ＲＲＣ再構成手順を実行することができる。
【００９６】
続いて、ステップＳ８０９において、ＭｅＮＢ５−１は、ＳｇＮＢ再構成完了（ＳｇＮＢ  ｒｅｃｏｎｆｉｇｕｒａｔｉｏｎ  ｃｏｍｐｌｅｔｅ）メッセージをｅｎ−ｇＮＢ−ＣＵ５−２ｂに送信する。ソースｅｎ−ｇＮＢ−ＤＵ５−２ｂで正常に送信されなかったデータを含む可能性のある下りリンクパケットは、ｅｎ−ｇＮＢ−ＣＵ５−２ｂによってターゲットｅ−ｇＮＢ−ＤＵ５−２ａ−２に送信される。これは、「下りリンクユーザデータ」として示すとおりである。ステップ８１０において、ターゲットｅｎ−ｇＮＢ−ＤＵ５−２ａ−２でランダムアクセス手順が実行される。そして、「下りリンクユーザデータ」の矢印が示すように、下りリンクパケットをＵＥ３−２に送信することができ、上りリンクパケットをＵＥ３−２から送信することができる。これらは、「上りリンクユーザデータ」の矢印が示すように、ターゲットｅｎ−ｇＮＢ−ＤＵ５−２ａ−２を介してｅｎ−ｇＮＢ−ＣＵ５−２ｂに転送される。
【００９７】
そして、ｅｎ−ｇＮＢ−ＣＵ５−２ｂは、ステップＳ８１１において、ＵＥコンテキスト解放コマンドメッセージをソースｅｎ−ｇＮＢ−ＤＵ５−２ａ−１に送信する。最後に、ステップＳ８１２において、ソースｅｎ−ｇＮＢ−ＤＵ５−２ａ−１はＵＥコンテキストを解放し、ＵＥコンテキスト解放完了メッセージでｅｎ−ｇＮＢ−ＣＵ５−２ｂに応答する。これにより、手順が完了する。
【００９８】
（変形例及び代替案）
以上、例示的な実施形態を詳細に説明した。上記例示的な実施形態については複数の変形例及び代替案が可能であり、そのようにして具現化された発明であっても同様の利を得ることができることは当業者には明らかである。説明のため、これらの変形例及び代替案の実施例を一部のみ説明する。
【００９９】
例えば、上記の例示的な実施形態で使用したシグナリングメカニズム及び対応の指示は、他のＭＲ−ＤＣシナリオで実装してもよい。例えば、上記シグナリング方法をＮＥ−ＤＣ／ＮＧＥＮ−ＤＣに適用した場合、当業者は、このタイプのＭＲ−ＤＣシナリオのＭＮは５ＧＣに接続されているため、Ｘｎインターフェースの対応のメッセージが変更する可能性があることを理解する。具体的には、ＲＲＣ構成指示ＩＥは、「ＸｎＡＰ：Ｓノード変更必要」メッセージ及び「ＸｎＡＰ：Ｓノード変更要求確認」メッセージに含まれ得る。
【０１００】
同様に、イントラＮＲ−ＤＣの場合、すなわちＭＮとＳＮの両方が５Ｇ基地局であるデュアルコネクティビティのシナリオの場合、これらの基地局間にＸｎインターフェースが存在するため、同様のシグナリング方法が適用される。例えば、「ＸｎＡＰ：ＳｇＮＢ変更必要」メッセージや、「ＸｎＡＰ：ＳｇＮＢ／Ｓノード変更要求確認」メッセージなどの適切なＸｎメッセージは、双方がＲＲＣ構成指示ＩＥを含むことができる。
【０１０１】
さらに、上記の説明では、フル又はデルタ構成情報のいずれかが適切なＩＥ内の分散ユニットによって提供されると説明したが、フル構成情報とデルタ構成情報の両方をそれぞれ異なるＩＥで提供できるように第２のＩＥを提供してもよいものとする。例えば、既存のＤＵ−ＣＵ情報（ＤＵ−ｔｏ−ＣＵ  ｉｎｆｏｒｍａｔｉｏｎ）ＩＥを含むＦ１ＡＰメッセージは、例えばセカンダリＤＵ−ＣＵ情報ＩＥなどの新しいＩＥを含むように構成することができる。当該ＩＥは、フル構成を含むことができると共に、他方のＤＵ−ＣＵ情報ＩＥにデルタ構成が含まれる場合に上記メッセージに含まれる。対応のＩＥの複製を作成する別のオプションは、例えば、既存のＤＵ−ＣＵ情報ＩＥ内にセカンダリセルグループ構成情報ＩＥを加えることで当該ＤＵ−ＣＵ情報ＩＥ内で複製を作成する方法である。有利には、このバリアント方式を用いることで、ＤＵがデルタ構成とフル構成の両方を同時に提供することができる。このコンテキストでは、デルタ構成のみ、フル構成のみ、或いはデルタ構成とフル構成の両方が必要であるか否かを示すＩＥを、必要に応じて、ＣＵ‐ＤＵシグナリング（ＣＵ−ｔｏ−ＤＵ  ｓｉｇｎａｌｌｉｎｇ）メッセージに更に導入してもよい。又は、或いは上に加えて、特定のメッセージにフル構成とデルタ構成のいずれか又は両方を含ませる場合の条件は、通信エンティティ（例えば、これらを提供するＤＵ又はＣＵ）に完全に又は部分的に事前にプログラミングされ、対応の規格に規定される。
【０１０２】
各コントローラは任意の形態の処理回路を適宜含んでもよく、例えば、以下が含まれる（限定的ではない）：
ハードウェアに実装された１つ以上のコンピュータプロセッサ；マイクロプロセッサ；ＣＰＵ（Ｃｅｎｔｒａｌ  Ｐｒｏｃｅｓｓｉｎｇ  Ｕｎｉｔ：中央処理装置）；ＡＬＵ（Ａｒｉｔｈｍｅｔｉｃ  Ｌｏｇｉｃ  Ｕｎｉｔ：算術論理ユニット）；ＩＯ（Ｉｎｐｕｔ／Ｏｕｔｐｕｔ：入出力）回路；内部メモリ／キャッシュ（プログラム及び／又はデータ）；処理レジスタ；通信バス（例えば、制御、データ及び／又はアドレスバス）；ＤＭＡ（Ｄｉｒｅｃｔ  Ｍｅｍｏｒｙ  Ａｃｃｅｓｓ：ダイレクトメモリアクセス）機能；ハードウェア又はソフトウェア実装されたカウンタ、ポインタ、タイマなど。
【０１０３】
上記の例示的な実施形態は、「非モバイル」又は一般に固定のユーザ装置にも適用可能である。
【０１０４】
種々の他の変更は、当業者にとって明らかであるため、ここでは更に詳細な説明は省略する。
【０１０５】
したがって、要約すると、本明細書で説明した一実施例では、セルラ通信システムにおける分散型基地局装置の中央ユニットにより、前記分散型基地局装置のソース分散ユニットから前記分散型基地局装置のターゲット分散ユニットへのＵＥ（Ｕｓｅｒ  Ｅｑｕｉｐｍｅｎｔ：ユーザ装置）コンテキストの変更の一部として行われる方法であって、前記分散型基地局装置のターゲット分散ユニットに第１のメッセージを送信することと、前記分散型基地局装置のターゲット分散ユニットから、前記ターゲット分散ユニットについての構成情報を含む少なくとも１つのＩＥ（Ｉｎｆｏｒｍａｔｉｏｎ  Ｅｌｅｍｅｎｔ：情報要素）であって、前記ターゲット分散ユニットで適用される現在の構成についてのフル構成情報と、前記ターゲット分散ユニットで適用される現在の構成についてのデルタ構成情報であって、前記ターゲット分散ユニットで適用される現在の構成と別の構成との間の変更を表す前記デルタ構成情報とのうちの少なくとも１つを含む前記少なくとも１つのＩＥを含む第２のメッセージを受信することと、更なる基地局装置に、前記ターゲット分散ユニットについての前記受信した構成情報とフルタイプ又はデルタタイプ構成のどちらが用いられたかについての指示とを含む第３のメッセージを送信することと、を含む方法を説明した。
【０１０６】
前記第３のメッセージは、ＲＲＣ（Ｒａｄｉｏ  Ｒｅｓｏｕｒｃｅ  Ｃｏｎｔｒｏｌ：無線リソース制御）指示ＩＥ内に前記指示を含む。前記方法は、前記ＵＥコンテキストを前記ターゲット分散ユニットに変更することを決定することと、前記第１のメッセージを送信することと、を更に含んでもよい。前記分散型基地局装置はセカンダリ基地局装置を備えてもよく、前記更なる基地局装置はマスタ基地局装置を備えてもよく、前記第３のメッセージはセカンダリ基地局装置について変更が必要であることを示すメッセージを含んでもよい。前記第３のメッセージは、（例えば、Ｘ２インターフェースを介して送信される）ＳｇＮＢ変更必要（ＳｇＮＢ  ｍｏｄｉｆｉｃａｔｉｏｎ  ｒｅｑｕｉｒｅｄ）メッセージであってもよい。前記第３のメッセージは、（例えば、Ｘｎインターフェースを介して送信される）Ｓ−Ｎｏｄｅ変更必要（Ｓ−Ｎｏｄｅ  ｍｏｄｉｆｉｃａｔｉｏｎ  ｒｅｑｕｉｒｅｄ）メッセージであってもよい。
【０１０７】
前記方法は、前記分散型基地局装置でＵＥコンテキストを変更するための要求メッセージを前記更なる基地局装置から受信することを更に含んでもよく、前記第１のメッセージの送信は前記更なる基地局装置から前記要求を受信した後に行われてもよい。
【０１０８】
前記分散型基地局装置はセカンダリ基地局装置を備えてもよく、前記更なる基地局装置はマスタ基地局装置を備えてもよく、前記更なる基地局からの前記要求メッセージは、セカンダリ基地局について変更を要求することを示すメッセージを含んでもよく、前記第３のメッセージは、前記要求メッセージを確認するための対応のメッセージを含んでもよい。
【０１０９】
前記第３のメッセージは、（例えば、Ｘ２インターフェースを介して送信される）ＳｇＮＢ変更要求確認（ＳｇＮＢ  ｍｏｄｉｆｉｃａｔｉｏｎ  ｒｅｑｕｅｓｔ  ａｃｋｎｏｗｌｅｄｇｅ）メッセージであってもよい。前記更なる基地局からの前記要求メッセージは、（例えば、Ｘ２インターフェースを介して送信される）ＳｇＮＢ変更要求（ＳｇＮＢ  ｍｏｄｉｆｉｃａｔｉｏｎ  ｒｅｑｕｅｓｔ）メッセージであってもよい。前記第３のメッセージは、（例えば、Ｘｎインターフェースを介して送信される）Ｓ−Ｎｏｄｅ変更要求確認（Ｓ−Ｎｏｄｅ  ｍｏｄｉｆｉｃａｔｉｏｎ  ｒｅｑｕｅｓｔ  ａｃｋｎｏｗｌｅｄｇｅ）メッセージであってもよい。前記更なる基地局からの前記要求メッセージは、（例えば、Ｘｎインターフェースを介して送信される）Ｓ−Ｎｏｄｅ変更要求（Ｓ−Ｎｏｄｅ  ｍｏｄｉｆｉｃａｔｉｏｎ  ｒｅｑｕｅｓｔ）メッセージであってもよい。
【０１１０】
前記分散型基地局装置は、第５世代５Ｇ標準に従って動作する５Ｇ基地局ｇＮＢを含んでもよい。前記分散型基地局装置は、ＳＮ（Ｓｅｃｏｎｄａｒｙ  Ｎｏｄｅ：セカンダリノード）装置として動作してもよい。
【０１１１】
前記更なる基地局装置は、第４世代４Ｇ標準に従って動作する４Ｇ基地局ｅＮＢを含んでもよい。前記更なる基地局装置は、ＭＮ（Ｍａｓｔｅｒ  Ｎｏｄｅ：マスタノード）装置として動作してもよい。
【０１１２】
本明細書で説明した別の実施例では、セルラ通信システムにおける基地局装置により、ＵＥ（Ｕｓｅｒ  Ｅｑｕｉｐｍｅｎｔ：ユーザ装置）コンテキストを分散型基地局装置のソース分散ユニットから前記分散型基地局装置のターゲット分散ユニットへ変更する手順の一部として行われる方法であって、前記ターゲット分散ユニットから、前記ターゲット分散ユニットについての構成情報とフルタイプ又はデルタタイプの構成のどちらが用いられたかについての指示とを含むメッセージを受信することと、前記受信した構成情報と前記指示とを用いて前記ＵＥで再構成手順を行うことと、を含む方法を説明した。
【０１１３】
本明細書で説明した別の実施例では、セルラ通信システムにおける分散型基地局装置の中央ユニットであって、前記分散型基地局装置のソース分散ユニットから前記分散型基地局装置のターゲット分散ユニットへのＵＥ（Ｕｓｅｒ  Ｅｑｕｉｐｍｅｎｔ：ユーザ装置）コンテキストの変更の一部として、前記分散型基地局装置のターゲット分散ユニットに、第１のメッセージを送信する手段と、前記分散型基地局装置のターゲット分散ユニットから、前記ターゲット分散ユニットについての構成情報を含む少なくとも１つのＩＥ（Ｉｎｆｏｒｍａｔｉｏｎ  Ｅｌｅｍｅｎｔ：情報要素）であって、前記ターゲット分散ユニットで適用される現在の構成についてのフル構成情報と、前記ターゲット分散ユニットで適用される現在の構成についてのデルタ構成情報であって、前記ターゲット分散ユニットで適用される現在の構成と別の構成との間の変更を表す前記デルタ構成情報とのうちの少なくとも１つを含む前記少なくとも１つのＩＥを含む第２のメッセージを受信する手段と、更なる基地局装置に、前記ターゲット分散ユニットについての前記受信した構成情報とフルタイプ又はデルタタイプの構成のどちらが用いられたかについての指示とを含む第３のメッセージを送信する手段と、を備える中央ユニットを説明した。
【０１１４】
本明細書で説明した別の実施例では、セルラ通信システムのための基地局装置であって、ＵＥ（Ｕｓｅｒ  Ｅｑｕｉｐｍｅｎｔ：ユーザ装置）コンテキストを分散型基地局装置のソース分散ユニットから前記分散型基地局装置のターゲット分散ユニットへ変更する手順中に、前記ターゲット分散ユニットから、前記ターゲット分散ユニットについての構成情報とフルタイプ又はデルタタイプの構成のどちらが用いられたかについての指示とを含むメッセージを受信する手段と、前記受信した構成情報を用いて前記ＵＥで再構成手順を行う手段と、を備える基地局装置を説明した。
【０１１５】
上述の例示的な実施形態では、複数のソフトウェアモジュールを説明した。当業者が理解するように、ソフトウェアモジュールは、コンパイルされた形式又はコンパイルされていない形式で提供してもよいし、コンピュータネットワークを介した信号として、又は記録媒体上で、基地局若しくはＵＥに供給してもよい。更に、このソフトウェアの一部又はすベてによって実行される機能は、１つ以上の専用ハードウェア回路を使用して実行してもよい。しかしながら、ＵＥ及び基地局の更新を高速化するためには、ソフトウェアモジュールの使用が推奨される。
【０１１６】
本出願は、２０１８年６月２２日出願の英国特許出願番号１８１０３４１．６に基づく優先権の利益を主張する。この開示の内容は、全てここに含めておく。
【図１】
2021528018.tif 000011
【図２】
2021528018.tif 000012
【図３】
2021528018.tif 000013
【図４】
2021528018.tif 000014
【図５】
2021528018.tif 000015
【図６】
2021528018.tif 000016
【図７】
2021528018.tif 000017
【図８】
2021528018.tif 000018
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
ｇＮＢと通信するｅＮＢのための方法であって、
前記ｇＮＢから、前記ｇＮＢでのＵＥ（Ｕｓｅｒ  Ｅｑｕｉｐｍｅｎｔ：ユーザ装置）コンテキストを変更するメッセージを用いてフル構成又はデルタ構成のどちらが適用されるかを示すＲＲＣ（Ｒａｄｉｏ  Ｒｅｓｏｕｒｃｅ  Ｃｏｎｔｒｏｌ：無線リソース制御）構成指示ＩＥ（Ｉｎｆｏｒｍａｔｉｏｎ  Ｅｌｅｍｅｎｔ：情報要素）を受信することと、
前記ＲＲＣ構成指示ＩＥを受信した後に、ＵＥとのＲＲＣ再構成手順を行うことと、を含む方法。
【請求項２】
前記メッセージは、ＳｇＮＢ変更必要（ＳｇＮＢ  ｍｏｄｉｆｉｃａｔｉｏｎ  ｒｅｑｕｉｒｅｄ）メッセージ又はＳｇＮＢ変更要求確認（ＳｇＮＢ  ｍｏｄｉｆｉｃａｔｉｏｎ  ｒｅｑｕｅｓｔ  ａｃｋｎｏｗｌｅｄｇｅ）メッセージである、請求項１記載の方法。
【請求項３】
前記ｅＮＢは、前記ＵＥがｇＮＢ−ＤＵからｇＮＢ−ＣＵ内の他のｇＮＢ−ＤＵに移動するときに、フル構成又はデルタ構成を示す前記ＲＲＣ構成指示ＩＥを受信する、請求項１又は２記載の方法。
【請求項４】
前記ＲＲＣ再構成手順において、前記ｅＮＢは前記ＲＲＣ構成指示ＩＥの後にＲＲＣ接続再構成（ＲＲＣ  ｃｏｎｎｅｃｔｉｏｎ  ｒｅｃｏｎｆｉｇｕｒａｔｉｏｎ）メッセージを前記ＵＥに送信する、請求項１乃至３のうち何れか１項記載の方法。
【請求項５】
ｇＮＢと通信するｅＮＢであって、
ｇＮＢから、前記ｇＮＢでのＵＥ（Ｕｓｅｒ  Ｅｑｕｉｐｍｅｎｔ：ユーザ装置）コンテキストを変更するメッセージを用いてフル構成又はデルタ構成を示すＲＲＣ（Ｒａｄｉｏ  Ｒｅｓｏｕｒｃｅ  Ｃｏｎｔｒｏｌ：無線リソース制御）構成指示ＩＥ（Ｉｎｆｏｒｍａｔｉｏｎ  Ｅｌｅｍｅｎｔ：情報要素）を受信するトランシーバと、
前記ＲＲＣ構成指示ＩＥを受信した後に、ＵＥとのＲＲＣ再構成手順を行うプロセッサと、を備えるｅＮＢ。
【手続補正２】
【補正対象書類名】明細書
【補正対象項目名】００６０
【補正方法】変更
【補正の内容】
【００６０】
分散ユニット５−２ａのＲＲＣモジュール４６８ａは、ｇＮＢ５−２のＲＲＣレイヤ機能及びＵＥ３との対応のＲＲＣ通信の制御を（通信制御モジュール４６３ａの全体的な制御下で）担う。
【国際調査報告】
2021528018.tif 000019
2021528018.tif 000020
2021528018.tif 000021